(57)【要約】【課題】主溝のグルーブクラックを抑制できる空気入りタイヤを提供すること。【解決手段】この空気入りタイヤ１は、タイヤ周方向に延在する主溝２と、主溝２により区画されて成るショルダーリブ３と、主溝２の溝底に形成される突起部４とを含み構成される。そして、突起部４によりタイヤ幅方向に分断された主溝部分２１、２２のうち、タイヤ幅方向外側に位置する主溝部分２１の溝深さＧ１が、タイヤ幅方向内側に位置する主溝部分２２の溝深さＧに対してＧ１≦０．９０×Ｇとなるように、構成されること。【選択図】        図１
2006205904.tif 000002
【特許請求の範囲】
【請求項１】
タイヤ周方向に延在する主溝と、前記主溝により区画されて成るショルダーリブと、前記主溝の溝底に形成される突起部とを含み、且つ、
前記突起部によりタイヤ幅方向に分断された前記主溝の部分（以下、主溝部分という。）のうち、タイヤ幅方向外側に位置する主溝部分の溝深さＧ１が、タイヤ幅方向内側に位置する主溝部分の溝深さＧに対してＧ１≦０．９０×Ｇとなるように、構成されることを特徴とする空気入りタイヤ。
【請求項２】
タイヤ幅方向外側の前記主溝部分の溝深さＧ１が、タイヤ幅方向内側の前記主溝部分の溝深さＧに対してＧ１≧０．５０×Ｇとなるように構成される請求項１に記載の空気入りタイヤ。
【請求項３】
前記主溝部分の溝幅が４［ｍｍ］以下である請求項１または２に記載の空気入りタイヤ。
【請求項４】
タイヤ転動時にてショルダーリブが接地したときに、前記突起部が接地する請求項１〜３のいずれか一つに記載の空気入りタイヤ。
【請求項５】
タイヤ子午線方向の断面視にて、前記突起部が突起状の先端形状を有する請求項１〜４のいずれか一つに記載の空気入りタイヤ。
【請求項６】
前記主溝部分が、タイヤ子午線方向の断面視にて、溝深さ方向に向かって突起部側に屈曲する請求項１〜５のいずれか一つに記載の空気入りタイヤ。
【請求項７】
前記主溝部分が、溝深さ方向に向かって溝幅を狭める請求項１〜６のいずれか一つに記載の空気入りタイヤ。
【請求項８】
トレッド部の接地面積に対する主溝の面積比率が２０［％］以上である請求項１〜７のいずれか一つに記載の空気入りタイヤ。
【発明の詳細な説明】
【技術分野】
【０００１】
この発明は、空気入りタイヤに関し、さらに詳しくは、主溝のグルーブクラックを抑制できる空気入りタイヤに関する。
【背景技術】
【０００２】
空気入りタイヤでは、ショルダーリブを区画する主溝の溝底にグルーブクラックが発生するという課題がある。このグルーブクラックは、ショルダー部の走行成長（使用によるタイヤ径の拡大）によりトレッド部の外溝（ショルダーリブを区画する主溝）が拡幅され、その溝底における接地時と非接地時との歪みの振幅が大きくなることにより、発生する。また、グルーブクラックは、摩耗中期（摩耗率が３０［％］〜６０［％］程度）にて発生し易く、また、周方向あるいは溝深さ方向に成長し易い。
【０００３】
かかる課題において、従来の空気入りタイヤには、特許文献１に記載される技術が知られている。従来の空気入りタイヤは、一対のビードコア間に跨がってラジアル方向に配置したコードによるプライからなるカーカスを骨格とし、該カーカスの径方向外側に、少なくとも２層のベルトおよびトレッドを順に配置し、該トレッドの表面に複数本の周方向溝を有する。そして、従来の空気入りタイヤは、タイヤショルダー部に隣接する周方向溝のタイヤ径方向内側に、タイヤの赤道面に沿って延びる補強素子による周方向ベルト層の少なくとも１層を配置し、当該周方向溝の底部にタイヤ径方向外側に延びる突起を設けたことを特徴とする。従来の空気入りタイヤは、かかる構成により、溝底におけるグルーブクラックの発生を抑制していた。
【０００４】
【特許文献１】特開２００１−６３３１５号公報
【発明の開示】
【発明が解決しようとする課題】
【０００５】
この発明は、主溝のグルーブクラックを抑制できる空気入りタイヤを提供することを目的とする。
【課題を解決するための手段】
【０００６】
上記目的を達成するため、この発明にかかる空気入りタイヤは、タイヤ周方向に延在する主溝と、前記主溝により区画されて成るショルダーリブと、前記主溝の溝底に形成される突起部とを含み、且つ、前記突起部によりタイヤ幅方向に分断された前記主溝の部分（以下、主溝部分という。）のうち、タイヤ幅方向外側に位置する主溝部分の溝深さＧ１が、タイヤ幅方向内側に位置する主溝部分の溝深さＧに対してＧ１≦０．９０×Ｇとなるように構成されることを特徴とする。
【０００７】
この空気入りタイヤでは、突起部の両側の主溝部分が相互に異なる溝深さを有し、且つ、タイヤ幅方向外側の主溝部分の溝深さＧ１とタイヤ幅方向内側の主溝部分の溝深さＧとがＧ１／Ｇ≦０．９０（Ｇ１≦０．９０×Ｇ）となるように構成される。かかる構成とすれば、主溝部分の溝深さＧ１，Ｇが等しい（Ｇ１／Ｇ＝１．０）構成と比較して、耐グルーブクラック性が向上する利点がある。
【０００８】
また、この発明にかかる空気入りタイヤは、タイヤ幅方向外側の前記主溝部分の溝深さＧ１が、タイヤ幅方向内側の前記主溝部分の溝深さＧに対してＧ１≧０．５０×Ｇとなるように構成される。
【０００９】
この空気入りタイヤでは、主溝部分の溝深さ比Ｇ１／ＧがＧ１／Ｇ≧０．５０であるので、タイヤ幅方向内側の主溝が開き難いという利点がある。
【００１０】
また、この発明にかかる空気入りタイヤは、前記主溝部分の溝幅が４［ｍｍ］以下である。
【００１１】
この空気入りタイヤでは、主溝部分の溝幅が４［ｍｍ］以下となるように、突起部が主溝に対して形成されるので、主溝部分における石などの異物の噛み込みが防止される。これにより、異物の噛み込みに起因するリブティアが抑制される利点がある。
【００１２】
また、この発明にかかる空気入りタイヤは、タイヤ転動時にてショルダーリブが接地したときに、前記突起部が接地する。
【００１３】
この空気入りタイヤでは、タイヤ転動時にてショルダーリブが接地したときに、突起部が接地するので、突起部がショルダーリブの犠牲リブとして機能する。これにより、ショルダーリブの偏摩耗が効果的に低減される利点がある。
【００１４】
また、この発明にかかる空気入りタイヤは、タイヤ子午線方向の断面視にて、前記突起部が突起状の先端形状を有する。
【００１５】
この空気入りタイヤでは、タイヤ子午線方向の断面視にて、突起部が突起状の先端形状を有するので、接地時における摩擦エネルギーが突起形状の先端に集中して、突起部が積極的に磨耗する。これにより、突起部がショルダーリブの犠牲リブとしてより好適に機能するので、ショルダーリブの偏磨耗がより効果的に抑制される利点がある。
【００１６】
また、この発明にかかる空気入りタイヤは、前記主溝部分が、タイヤ子午線方向の断面視にて、溝深さ方向に向かって突起部側に屈曲する。
【００１７】
この空気入りタイヤでは、主溝部分が、タイヤ子午線方向の断面視にて、溝深さ方向に向かって突起部側に屈曲する。かかる構成では、主溝部分が突起部側に屈曲している分だけ、隣接する陸部（ショルダーリブが含まれる。）が主溝部分の溝深さ方向に拡幅される。これにより、陸部の剛性が増加するので、陸部の偏磨耗がより効果的に抑制される利点がある。
【００１８】
また、この発明にかかる空気入りタイヤは、前記主溝部分が、溝深さ方向に向かって溝幅を狭める。
【００１９】
この空気入りタイヤでは、主溝部分が、溝深さ方向に向かって溝幅を狭めるように構成されるので、タイヤ加硫後にて、主溝部分を形成するための金型をモールドから容易に引き抜き得る利点がある。
【００２０】
また、この発明にかかる空気入りタイヤは、トレッド部の接地面積に対する主溝の面積比率が２０［％］以上である。
【００２１】
この空気入りタイヤでは、トレッド部の接地面積に対する主溝（主溝部分が含まれる。）の面積比率が２０［％］以上である。これにより、タイヤ接地時におけるトレッド部の排水性能が確保されるので、空気入りタイヤのウェット性能が必要十分に維持される利点がある。
【発明の効果】
【００２２】
この発明にかかる空気入りタイヤによれば、突起部の両側の主溝部分が相互に異なる溝深さを有し、且つ、タイヤ幅方向外側の主溝部分の溝深さＧ１とタイヤ幅方向内側の主溝部分の溝深さＧとがＧ１／Ｇ≦０．９０（Ｇ１≦０．９０×Ｇ）となるように構成されるので、主溝部分の溝深さＧ１，Ｇが等しい（Ｇ１／Ｇ＝１．０）構成と比較して、耐グルーブクラック性が向上する利点がある。
【発明を実施するための最良の形態】
【００２３】
以下、この発明につき図面を参照しつつ詳細に説明する。なお、この実施例によりこの発明が限定されるものではない。また、以下に示す実施例の構成要素には、当業者が置換可能かつ容易なもの、或いは実質的同一のものが含まれる。
【実施例１】
【００２４】
図１および図２は、この発明の実施例１にかかる空気入りタイヤのトレッド部を示す平面図（図１）およびタイヤ子午線方向の断面図（図２）である。図３は、図１に記載したトレッド部の要部を示す説明図である。図４〜図６は、図１に記載した空気入りタイヤの変形例を示す説明図である。図７は、この発明にかかる空気入りタイヤの性能試験の結果を示す表である。
【００２５】
この空気入りタイヤ１は、タイヤ周方向に延在する複数の主溝２と、これらの主溝２により区画されて成るショルダーリブ３とを含み構成される。したがって、この空気入りタイヤ１は、リブを基調としたトレッドパターン（リブ基調パターン）を有する（図１および図２参照）。
【００２６】
また、空気入りタイヤ１は、突起部４を有する（図１〜図３参照）。突起部４は、複数の主溝２のうち、トレッド展開幅ＴＤＷに対してタイヤ幅方向外側の１／４ＴＤＷの範囲にある左右の主溝２（、２）に対して形成される。具体的には、突起部４は、ショルダーリブ３に隣接する主溝２に対して形成される。また、突起部４は、主溝２の溝内に形成されており、トレッド部の平面視にて、ショルダーリブ３（主溝２）に沿ってタイヤ周方向に連続的に（リブ状に）形成されている。また、突起部４は、主溝２の略中央に位置しており、一つの主溝２を二つの部分（以下、主溝部分という。）２１，２２にタイヤ幅方向に分断している。このため、突起部４は、主溝２内に形成された一本の幅狭リブ（細リブ）のように見える。また、見方を変えれば、タイヤ周方向に並走する一対の細溝（主溝部分２１，２２）が、トレッド部の陸部に形成されているようにも見える。
【００２７】
また、突起部４は、タイヤ子午線方向の断面視にて、タイヤ幅方向外側（ショルダーリブ３側）に位置する主溝部分２１の溝深さＧ１が、タイヤ幅方向内側（センタークラウン側）に位置する主溝部分２２の溝深さＧよりも浅くなるように、形成される（図３参照）。具体的には、主溝部分２１、２２の溝深さＧ１，Ｇが、Ｇ１≦０．９０×Ｇとなるように、突起部４が形成される。なお、タイヤ幅方向外側の主溝部分２２の溝深さＧは、センタークラウン側にある他の主溝２の溝深さＧと等しい。また、かかる溝深さＧは、突起部４を有さない（ショルダーリブ３を区画する主溝２に突起部が形成されていない場合における）主溝２の溝深さでもある。
【００２８】
また、突起部４は、タイヤ子午線方向の断面視にて、タイヤ幅方向内側に位置する主溝部分２２の溝幅Ｗ２が、タイヤ幅方向外側に位置する主溝部分２１の溝幅Ｗ１に対して１．０×Ｗ１≦Ｗ２≦２．０×Ｗ１となるように、形成される（図３参照）。
【００２９】
［効果］
この空気入りタイヤ１では、主溝２の溝底に突起部４が形成されているので（図３参照）、主溝２に突起部が形成されていない構成と比較して、溝底における耐グルーブクラック性が向上する利点がある（図７の従来例および発明例１参照）。
【００３０】
また、この空気入りタイヤ１では、突起部４により分断された主溝部分２１、２２のうちタイヤ幅方向外側に位置する主溝部分２１の溝深さＧ１が、タイヤ幅方向内側に位置する主溝部分２２の溝深さＧに対してＧ１≦０．９０×Ｇとなるように、構成されている（図３参照）。言い換えると、主溝２の溝底に突起部４が形成されており、この突起部４に対してタイヤ幅方向外側に位置する主溝部分２１の溝深さＧ１と、タイヤ幅方向内側に位置する主溝部分２２の溝深さＧとの比Ｇ１／Ｇが、Ｇ１／Ｇ≦０．９０となるように構成される。かかる構成とすれば、主溝部分２１、２２の溝深さＧ１，Ｇが等しい（Ｇ１／Ｇ＝１．０）構成と比較して、耐グルーブクラック性が向上する利点がある（図７の比較例および発明例５参照）。また、ショルダーリブ３の耐リブティア性および耐偏摩耗性が向上する利点がある。
【００３１】
［適用例］
なお、この空気入りタイヤ１は、特に、トラックやバス等の重荷重用空気入りタイヤとして使用されることが好ましい。重荷重用空気入りタイヤでは、一般のタイヤと比較してより大きな荷重が負荷されるため、グルーブクラックの発生が特に顕著である。この点において、この空気入りタイヤ１は、グルーブクラックの発生を効果的に低減できるので、かかる重荷重用空気入りタイヤとして使用された場合に、特に有益である。
【００３２】
また、グルーブクラックは、リブを基調としたトレッドパターン（リブ基調パターン）を有すると共に扁平率が７０［％］〜６０［％］である空気入りラジアルタイヤにおいて発生し易い。したがって、この空気入りタイヤ１は、かかる空気入りラジアルタイヤ（小扁平タイヤ）に対して適用されることが好ましい。これにより、より顕著な耐グルーブクラック性の向上効果を得られる利点がある。
【００３３】
［変形例１］
また、この空気入りタイヤ１では、突起部４のタイヤ幅方向外側に位置する主溝部分２１の溝深さＧ１が、タイヤ幅方向内側に位置する主溝部分２２の溝深さＧに対して、Ｇ１≧０．５０×Ｇとなるように構成されることが好ましい。言い換えると、主溝部分２１、２２の溝深さ比Ｇ１／ＧがＧ１／Ｇ≧０．５０であることが好ましい。かかる構成では、主溝部分２１、２２間の開口し易さのバランスが好適に確保されるので（タイヤ幅方向内側に位置する主溝部分２２の開口し易さが低減されるので）、タイヤ転動時における溝底の振幅が低減するという利点がある。また、主溝部分２１、２２の溝深さ比Ｇ１／ＧがＧ１／Ｇ≧０．７０であることがより好ましい。これにより、ＷＥＴ性が維持される利点がある。
【００３４】
［変形例２］
また、この空気入りタイヤ１では、主溝部分２１，２２の溝幅Ｗ１，Ｗ２がいずれも４［ｍｍ］以下となるように、突起部４が主溝２に対して形成されることが好ましい（図３参照）。かかる構成では、突起部４が主溝２の開口部を略塞いでいるので、主溝２（主溝部分２１，２２）における石などの異物の噛み込みが防止される。これにより、異物の噛み込みに起因するリブティアが抑制される利点がある。なお、主溝部分２１，２２の溝幅Ｗ１は、４［ｍｍ］以下であることが好ましく、２［ｍｍ］以下であることがより好ましい。これにより、主溝部分２１，２２での異物の噛み込みがより効果的に防止される利点がある。
【００３５】
［変形例３］
また、この空気入りタイヤ１では、主溝部分２１，２２の溝幅Ｗ１，Ｗ２が、いずれも１［ｍｍ］以上となるように、突起部４が主溝２に対して形成されることが好ましい（図３参照）。これにより、溝底にクラックが入り難いという利点がある。
【００３６】
［変形例４］
また、この空気入りタイヤ１では、ショルダーリブ３に隣接する主溝２に対して突起部４が形成されている（図１参照）。ショルダーリブ３に隣接する主溝２ではグルーブクラックの発生が顕著なので、かかる構成とすれば、耐グルーブクラック性がより顕著に向上する利点がある。しかし、これに限らず、突起部４は、ショルダーリブ３を区画する主溝２以外の主溝２に対して形成されても良い（図示省略）。
【００３７】
［変形例５］
また、この空気入りタイヤ１では、突起部４がショルダーリブ３に沿ってタイヤ周方向に連続的に（リブ状に）形成されている（図１参照）。かかる構成では、突起部４が、ショルダーリブ３の犠牲リブとして機能する。したがって、突起部４がタイヤ周方向に不連続に（ブロック状に分断されて）形成されている構成と比較して、ショルダーリブ３の偏磨耗が効果的に抑制される点で好ましい。しかし、これに限らず、突起部４は、タイヤ周方向に不連続に形成されても良い（図示省略）。
【００３８】
［変形例６］
また、この空気入りタイヤ１では、タイヤ転動時にてショルダーリブ３が接地したときに、突起部４が接地するように構成されることが好ましい。具体的には、突起部４の先端がトレッド部の略プロファイルライン上に位置するように、構成されることが好ましい（図３参照）。言い換えると、突起部４の先端がショルダーリブ３の踏面に対して略面一となるように、構成されることが好ましい。さらに詳しくは、突起部４の先端とトレッド部のプロファイルラインとの距離が±０．１［ｍｍ］以下の範囲にあるように、構成されることが好ましい。かかる構成では、突起部４（の先端）がショルダーリブ３の接地時にて接地して、ショルダーリブ３の犠牲リブとして機能する。これにより、ショルダーリブ３の偏摩耗が効果的に低減される利点がある。
【００３９】
［変形例７］
また、この空気入りタイヤ１では、タイヤ子午線方向の断面視にて、突起部４の先端形状が突起形状を有することが好ましい（図４参照）。具体的には、タイヤ子午線方向の断面視にて、突起部４の先端形状がテーパ形状を有する凸型の断面形状に形成されることが好ましい。かかる構成では、接地時における摩擦エネルギーが突起形状の先端に集中して、突起部４が積極的に磨耗する。これにより、突起部４がショルダーリブ３の犠牲リブとしてより好適に機能するので、ショルダーリブ３の偏磨耗がより効果的に抑制される利点がある。
【００４０】
［変形例８］
また、この空気入りタイヤ１では、主溝部分２１，２２が、タイヤ子午線方向の断面視にて、溝深さ方向に向かって突起部４側に屈曲するように構成されることが好ましい（図５参照）。かかる構成では、主溝部分２１，２２が突起部４側に屈曲している分だけ、隣接する陸部（ショルダーリブ３が含まれる。）が主溝部分２１，２２の溝深さ方向に拡幅される。これにより、陸部の剛性が増加するので、陸部の偏磨耗がより効果的に抑制される利点がある。なお、少なくともショルダーリブ３側の主溝部分２２が溝深さ方向に向かって突起部４側に屈曲する構成が好ましい。これにより、ショルダーリブ３の剛性が増加するので、ショルダーリブ３の偏磨耗がより効果的に抑制される利点がある。
【００４１】
［変形例９］
また、この空気入りタイヤ１では、主溝部分２１，２２が、溝深さ方向に向かって溝幅を狭めるように構成されることが好ましい（図６参照）。これにより、タイヤ加硫後にて、主溝部分２１，２２を形成するための金型をモールドから容易に引き抜き得る利点がある。
【００４２】
［変形例１０］
また、この空気入りタイヤ１では、トレッド部の接地面積に対する主溝２（主溝部分２１，２２が含まれる。）の面積比率が２０［％］以上であることが好ましい（図示省略）。すなわち、主溝２の開口面積がトレッド部の接地面積の２０［％］以上を占めるように、溝と陸部との比が規定されることが好ましい。これにより、タイヤ接地時におけるトレッド部の排水性能が確保されるので、空気入りタイヤ１のウェット性能が必要十分に維持される利点がある。
【００４３】
［性能試験］
この実施例１では、条件が異なる複数の空気入りタイヤについて、耐グルーブクラック性、耐リブティア性、耐偏摩耗性およびウェット性（ＷＥＴ性）の性能試験が行われた（図７参照）。この性能試験では、タイヤサイズ３１５／６０Ｒ２２．５の空気入りタイヤが、ＪＡＴＭＡ規定の標準リムに組み込まれて標準空気圧を負荷され、試験車両である２−Ｄトラクター車のＳＴＥＥＲ軸に装着される。そして、試験車両が舗装路１００［％］のテストコースを１５万［ｋｍ］走行する。
【００４４】
耐グルーブクラック性にかかる性能試験では、走行後における各空気入りタイヤについて、ショルダーリブを区画する主溝に発生したグルーブクラックの総長さ（個々の長さの総和）が測定され、この測定値に基づいて比較例を基準（１００）とした指数値により評価が行われる。この指数値は、大きいほど好ましい。また、指数値が＋５以上あれば、有益な効果が得られていると判断される。
【００４５】
耐リブティア性にかかる性能試験では、走行後における各空気入りタイヤについて、総長さ（個々の長さの総和）が測定され、この測定値に基づいて比較例を基準（１００）とした指数値により評価が行われる。この指数値は、大きいほど好ましい。また、指数値が＋５以上あれば、有益な効果が得られていると判断される。
【００４６】
耐偏摩耗性にかかる性能試験では、走行後における各空気入りタイヤについて、ショルダー部の肩落ち磨耗量が測定され、この測定値に基づいて比較例を基準（１００）とした指数値により評価が行われる。この指数値は、大きいほど好ましい。また、指数値が＋５以上あれば、有益な効果が得られていると判断される。
【００４７】
ＷＥＴ性のかかる性能試験では、散水された舗装路を試験車両が６０［ｋｍ／ｈ］の速度にて走行して急制動を行った場合における制動距離が測定され、この測定値に基づいて比較例を基準（１００）とした指数値により評価が行われる。この指数値は、大きいほど好ましい。また、指数値が±５以内あれば、ＷＥＴ性が同程度と判断される。
【００４８】
この性能試験において、従来例は、主溝２に突起部４が形成されていない空気入りタイヤである。一方、比較例および発明例１〜７は、主溝２に突起部４が形成されている空気入りタイヤである。試験結果に示すように、主溝２に突起部４が形成されていることにより、耐グルーブクラック性、耐リブティア性および耐偏摩耗性が向上している。
【００４９】
また、比較例と発明例１〜３とは、主溝部分２１、２２の溝深さ比Ｇ１／Ｇが相異する。試験結果に示すように、溝深さ比Ｇ１／ＧがＧ１／Ｇ≦０．９０（Ｇ１≦０．９０×Ｇ）となるように構成されることにより、耐グルーブクラック性、耐リブティア性および耐偏摩耗性がより向上することが分かる。
【００５０】
さらに、発明例１〜３同士では、溝深さ比Ｇ１／Ｇが相異する。試験結果に示すように、溝深さ比Ｇ１／Ｇは、Ｇ１／Ｇ≧０．７０であることが好ましい。これにより、ＷＥＴ性が比較例と同レベル（±５以内）に維持される利点がある。
【００５１】
つぎに、発明例４〜７同士では、主溝部分２１、２２の溝幅比Ｗ２／Ｗ１が相異する。試験結果に示すように、１．０≧Ｗ２／Ｗ１≧２．０であることが好ましい。これにより、耐リブティア性が向上する利点がある。なお、かかる構成では、主溝部分２１、２２の溝幅Ｗ１、Ｗ２は、４［ｍｍ］以下であることを要する。
【産業上の利用可能性】
【００５２】
以上のように、本発明にかかる空気入りタイヤは、主溝のグルーブクラックを抑制できる点で有用である。
【図面の簡単な説明】
【００５３】
【図１】この発明の実施例１にかかる空気入りタイヤのトレッド部を示す平面図である。
【図２】この発明の実施例１にかかる空気入りタイヤのトレッド部を示すタイヤ子午線方向の断面図である。
【図３】図１に記載したトレッド部の要部を示す説明図である。
【図４】図１に記載した空気入りタイヤの変形例を示す説明図である。
【図５】図１に記載した空気入りタイヤの変形例を示す説明図である。
【図６】図１に記載した空気入りタイヤの変形例を示す説明図である。
【図７】この発明にかかる空気入りタイヤの性能試験の結果を示す図表である。
【符号の説明】
【００５４】
１     空気入りタイヤ
２     主溝
２１、２２    主溝部分
３     ショルダーリブ
４     突起部
４１   接地面
４２   最大幅部
Ｗ１，Ｗ２    主溝部分の溝幅
Ｃ     突起部の接地幅
Ｘ     突起部の幅
ｇａ，ｇｂ    段差
Ｗ     主溝の幅
α     傾斜角
【図１】
2006205904.tif 000003
【図２】
2006205904.tif 000004
【図３】
2006205904.tif 000005
【図４】
2006205904.tif 000006
【図５】
2006205904.tif 000007
【図６】
2006205904.tif 000008
【図７】
2006205904.tif 000009